(57)【特許請求の範囲】
【請求項１】
画像を受信する方法であって、
前記画像の第１の領域を表す第１のデータを受信するステップであって、前記第１のデータは第１の変調方式を備える、ステップと、
前記第１の領域と重ならない前記画像の第２の領域を表す第２のデータを受信するステップであって、前記第２のデータは第２の変調方式を備え、
前記第１の変調方式は前記第２の変調方式よりロバストであり、
前記第１の領域は前記第２の領域より動きのある前記画像の部分を含む、ステップと、
前記第２のデータの信号品質が閾値以下であることに応答して前記第１のデータのみを有する画像を生成し、前記信号品質が前記閾値より高いことに応答して前記第１のデータおよび前記第２のデータを結合するステップと、
を含み、
前記結合するステップは、
前記第１のデータを復調して、前記画像の前記第１の領域を表す第１の復調信号を生成するステップと、
前記第２のデータを復調して、前記画像の前記第２の領域を表す第２の復調信号を生成するステップと、
表示デバイスに表示するのに適した結合された復調信号を生成するステップであって、前記結合された復調信号は前記画像の前記第１の領域および前記画像の前記第２の領域を備える、ステップと、
をさらに含み、前記第１のデータのみを有する画像内の前記第２の領域は、背景の画像として表示されるかまたは引き伸ばされた前記第１のデータの画像によりカバーされる、前記方法。
【請求項２】
前記閾値は前記第２のデータを表示するのに必要な最低の信号品質を表す、請求項１に記載の方法。
【請求項３】
前記第１のデータおよび前記第２のデータは無線送信を介して同一の物理フレームで受信される、請求項１に記載の方法。
【発明の詳細な説明】
【技術分野】
【０００１】
本発明は、一般に通信システムに関する。より具体的には、本発明は、フィードバックチャネルの必要なしにスライス割当ならびに複数の変調モードおよび符号化モードの選択を統合したクロスレイヤ法を利用して画像を送信するための無線送信方式に関する。
【背景技術】
【０００２】
モバイルＩＰＴＶなどのマルチキャストおよびブロードキャストサービス（ＭＢＳ）は、ＷｉＭＡＸ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）ネットワークにおける重要なアプリケーションとみなされる。無線ネットワークにおいては、コンテンツを各ユーザに個々に送信するのに比較して、帯域幅消費を低減するために同じビデオコンテンツをユーザのグループに同時に送信することが望ましい。しかし、無線環境は、減衰、シャドウイング、マルチパスフェージング、干渉、および端末のモビリティのために、エラーが生じやすいことが知られている。結果として、チャネル特性は時間および場所で変わる。たとえＷｉＭＡＸのような接続指向ネットワークの下でも、ＭＢＳのための信頼できる送信およびＱｏＳ保証はまだチャレンジングなタスクである。ユニキャストサービスと比較して、ＭＢＳで生じる１つの難題は、マルチキャストグループにおけるＢＳ（基地局）と各ＭＳ（移動局）との間のチャネル状態はそれぞれ異なる可能性があり、チャネル推定に依拠する機構のパフォーマンスおよびデプロイメントを制約するフィードバックがないことからくる。
【０００３】
ＡＭＣ（Ａｄａｐｔｉｖｅ  Ｍｏｄｕｌａｔｉｏｎ  ａｎｄ  Ｃｏｄｉｎｇ）方式を使用することにより、ＷｉＭＡＸシステムは、より高次の変調方式またはより低次の変調方式を選択することができる。ＢＳに近いエリアでは、ＳＮＲ（信号対雑音比）が良い場合は、システムはより高次の変調方式を使用してデータ転送を最大化することができる。ＳＮＲの良くないセル境界に近いエリア、またはマルチパスもしくはシャドウイング干渉の影響を受けるモバイルシステムでは、システムは、接続品質およびリンクの安定性を維持するためにより低次の変調方式にステップダウンすることができる。しかし、ＡＭＣは単独では専用のフィードバックチャネルを使用するユニキャストサービスに適しているだけであり、ＭＢＳのために定義された直接フィードバックチャネルはない。したがって、個々の受信機の動作状態はＢＳには知られず、したがって、送信中のソース側での調整は利用不可能である。
【０００４】
無線送信におけるＭＢＳのための３つの従来の方法がある。高い優先順位を有するカバレッジを取ると、第１の手法は、セル全体において信頼できる送信を保証するために、ＭＢＳのための最もロバストな変調を選択する。不利な点は、スペクトル効率にとって良くないパフォーマンスであり、サポートするサービスの総数が限定されることになる。第２のトレンドは、様々なパラメータセットおよびレートを用いて生成された同じソースシーケンスの複数のビットストリームを活用することであり、受信機はそれが検出するチャネル状態に基づいてそれらを次から次へと切り替えることができる。欠点は、導入された冗長トラフィックが帯域幅の浪費を引き起こすことである。第３のものは、ＣＱＩ（Ｃｈａｎｎｅｌ  Ｑｕａｌｉｔｙ  Ｉｎｆｏｒｍａｔｉｏｎ）チャネルを介してチャネル品質を調整のベースとしてＢＳに報告するために１つのグループリーダを選択することであり、問題は、グループリーダがそれ自体の近くの受信機を代表することしかできないことであり、そのような設定はそれらの端末により良いまたはより悪いチャネル状態を示すことを重く科す。
【０００５】
ＷｉＭＡＸ規格は、伝搬状態に基づいてスループットの最適化を可能にするＡＭＣ（Ａｄａｐｔｉｖｅ  Ｍｏｄｕｌａｔｉｏｎ  ａｎｄ  Ｃｏｄｉｎｇ）方式をサポートする。同じチャネル帯域幅の下では、より高次の変調は送信中により高いデータレートを実現することができるが、より高次の変調は、より良いチャネル状態を必要とするので、より低次の変調より短い信頼できる送信距離を有する。
【０００６】
様々なチャネル状態の下でＢＳのカバレッジの中にある受信機に、表示領域の点から様々なタイプのビデオ品質を提供することが望ましいであろう。前述の諸問題を克服するための望ましい解決策は、フィードバックチャネルの必要なしにモバイルＷｉＭＡＸネットワークにおけるビデオＭＢＳサービスのための送信ユーティリティおよびスペクトル効率を改善するであろう。
【発明の概要】
【課題を解決するための手段】
【０００７】
本発明は、モバイルＷｉＭＡＸネットワークにおけるビデオＭＢＳサービスのために、アプリケーション層におけるスライス割当／構成の技術および物理層における変調／符号化選択を結合する機構を提供する。端末における視覚効果およびシステムにおける送信効率のバランスを実現することができる。フィードバックがない状況においても、それぞれ異なるチャネル状態を有するエリアにおける端末は、表示領域の点からそれぞれ異なる品質のビデオを受信することができる。
【０００８】
一例示的実施形態では、本発明は、画像を受信する方法であって、画像の第１の領域を表す第１のデータを受信するステップであって、第１のデータはより高次の変調方式で受信されるステップと、前記画像の第２の領域を表す第２のデータを受信するステップであって、第２のデータはより低次の変調方式で受信されるステップとを備える方法を教示する。次いで、例示的実施形態は、閾値より低い第２のデータの品質インジケータに応答して第２のデータを廃棄する、または前記閾値より高い品質インジケータに応答して第１のデータおよび前記第２のデータを結合して画像を再生成する。
【０００９】
他の例示的実施形態では、装置は第１のデータが表示される表示デバイスを備え、第２のデータの品質インジケータが閾値より低い場合は、第１のデータは画像の第１の領域を表す。第２のデータの品質インジケータが閾値より高い場合は、装置は第１のデータおよび前記第２のデータを結合して画像を再生成し、次いで画像を表示する。
【図面の簡単な説明】
【００１０】
【図１】本発明の一例示的実施形態による送信のための一例示的環境を示す図である。
【図２】本発明の原理を実施する長方形のスライス割当パターンの例示図である。
【図３】本発明の原理を実施するスライス割当パターンの例示的部分を示す図である。
【図４】本発明の原理によるＷｉＭＡＸ  ＯＦＤＭ物理フレームにおける例示的ダウンリンクサブフレームを示す図である。
【図５】本発明の原理による例示的流れ図である。
【図６】本発明の一例示的実施形態による無線ネットワーク上での送信のためにデータを変調し準備するように動作可能な装置の例示的ブロック図である。
【図７】本発明の一例示的実施形態による表示デバイス上に表示するためにデータを復調し準備するように動作可能な装置の例示的ブロック図である。
【発明を実施するための形態】
【００１１】
本発明の概念以外に、諸図に示されている要素はよく知られており、詳細には説明されない。さらに、テレビジョンブロードキャスティングおよび受信機もよく知られていると思われるので、本明細書では詳細には説明されない。例えば、本発明の概念以外に、ＮＴＳＣ（Ｎａｔｉｏｎａｌ  Ｔｅｌｅｖｉｓｉｏｎ  Ｓｙｓｔｅｍｓ  Ｃｏｍｍｉｔｔｅｅ）、ＰＡＬ（Ｐｈａｓｅ  Ａｌｔｅｒｎａｔｉｏｎ  Ｌｉｎｅｓ）、ＳＥＣＡＭ（ＳＥｑｕｅｎｔｉａｌ  Ｃｏｕｌｅｕｒ  Ａｖｅｃ  Ｍｅｍｏｉｒｅ）およびＡＴＳＣ（Ａｄｖａｎｃｅｄ  Ｔｅｌｅｖｉｓｉｏｎ  Ｓｙｓｔｅｍｓ  Ｃｏｍｍｉｔｔｅｅ）（ＡＴＳＣ）などのＴＶ規格のための現在のおよび提案された勧告はよく知られていると思われる。同様に、本発明の概念以外に、ＷｉＭＡＸ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）、８−ＶＳＢ（ｅｉｇｈｔ−ｌｅｖｅｌ  ｖｅｓｔｉｇｉａｌ  ｓｉｄｅｂａｎｄ）、ＱＡＭ（Ｑｕａｄｒａｔｕｒｅ  Ａｍｐｌｉｔｕｄｅ  Ｍｏｄｕｌａｔｉｏｎ）などの送信概念、ならびにＲＦ（無線周波数）フロントエンド、または低雑音ブロック、チューナ、復調器、相関器、リークインテグレータおよび平方器などの受信機セクションなどの受信機コンポーネントが想定される。同様に、トランスポートビットストリームを生成するためのフォーマッティングおよびエンコーディング方法（ＭＰＥＧ（Ｍｏｖｉｎｇ  Ｐｉｃｔｕｒｅ  Ｅｘｐｅｒｔ  Ｇｒｏｕｐ）−２システムスタンダード（ＩＳＯ／ＩＥＣ１３８１８−１））はよく知られており、本明細書では説明されない。本発明の概念は従来のプログラミング方式を使用して実施することができ、したがって、従来のプログラム方式は本明細書では説明されないことにも留意されたい。最後に、諸図上の同様の数字は同様の要素を表す。
【００１２】
本発明は、モバイルＷｉＭＡＸネットワークにおけるビデオＭＢＳサービスのための送信ユーティリティおよびスペクトル効率を改善するために提案される。スライス割当ならびに複数の変調モードおよび符号化モード選択を統合するクロスレイヤ法は、フィードバックチャネルの必要なしに無線環境において活用される。本発明の１つの利益は、それぞれ異なるチャネル状態の下でＢＳのカバレッジの中にある受信機のための表示領域の点からそれぞれ異なるタイプのビデオ品質を提供することである。
【００１３】
次に図１を参照すると、本発明の一例示的実施形態による送信のための例示的環境（１００）が示されている。送信のための環境（１００）は、基地局ＢＳ（１１０）または同様の送信ポイント、ＢＳからの第１の距離（ｄ１）にある第１のデバイス、ＤＥＶＡ（１２０）、ＢＳから第２の距離（ｄ２）にある第２のデバイス、ＤＥＶＢ（１３０）、ＢＳから第３の距離にある第３のデバイス、ＤＥＶＣ（１４０）を備えてよい。
【００１４】
ＢＳ（１１０）は、プロセッサから画像を受信し、画像をＢＳ（１１０）の送信半径内の複数のデバイス（１２０、１３０、１４０）に送信するように動作可能である。しかし、送信される信号の伝搬特性ならびにデバイスの物理特性と同様に、ＢＳ（１１０）と各デバイス（１２０、１３０、１４０）との間の距離は様々なので、デバイスが、あるビットレート、データレート、または圧縮方式で送信された信号を受信する能力も様々である。
【００１５】
無線送信で体験される前述の望ましくない状況を克服するために、本発明の原理によるシステムは、符号化する画像を符号化されたスライスに分割するように動作可能であり、各スライスは画像の領域を表す。次いで、システムはそれぞれ異なる変調方式を使用して各スライスを変調し、その結果、いくつかのスライスはセル境界全体にあるＭＳが受信することができ、いくつかのスライスは効率のよいＭＳ、またはＢＳの近くのエリアにあるＭＳだけが受信することができる。スライスおよび変調方式は、画像の関心のあるエリアは最大数のＭＳによって受信され、関心のない画像のエリアはより少ない数のＭＳによって受信されるように選択される。したがって、システムは、それぞれ異なる変調方式を使用して同じコンテンツのマルチキャスト送信に関連する帯域幅の浪費をなくし、より多くのデータを、良好なチャネル状態を有する領域にあるよりロバストでない変調された信号を受信することができるＭＳに提供し、より少ないデータであるがそれでも関心のあるデータを、よりロバストに変調された信号を受信することができるＭＳだけに提供する。
【００１６】
次に図２を参照すると、本発明の原理を実施する長方形のスライス割当パターン（２００）の例示図である。Ｈ．２６４／ＡＶＣのようなビデオ符号化規格は、符号化されたピクチャを符号化されたスライスに分割することができるようにし、これは、符号化されたピクチャを独立してデコード可能なピースに分割するやり方とみなすことができる。人間の観察行動を考えると、人々は、通常、画像またはビデオフレーム内の特定のエリアに、同じフレーム内の他のエリアによりも多くの注意を払う。さらに、典型的なピクチャ構成はピクチャ内の中心点に焦点を置く。本発明の一例示的実施形態によれば、オリジナル画像（２１０）は、３つの独立したスライスＡ（２２０）、Ｂ（２３０）、およびＣ（２４０）に分割される。各スライス内のコンテンツを符号化し、それぞれ異なる変調方式で、分離されたストリームとして送信することができる。ユーザにとってより大きな関心のあるものと考えられる画像のスライスは、よりロバストな変調方式を使用して変調することができ、それによって、最大数のＭＳが最も関心のあるデータを受信することを保証する。関心がより少ないとみなされるスライスは、よりロバストでない変調方式を使用して変調される。しかし、スライスパターンは長方形のスライスに限定されず、いかなる数のスライスパターンをも使用することができ、それらのいくつかを図３に図示する。
【００１７】
次に図３を参照すると、本発明の原理を実施するスライス割当パターン（３００）の例示的部分が示されている。静的モードまたはフレキシブルモードにおけるスライスのためのパターンは無限であり、画像コンテンツまたは送信機の処理力に応じて変わってよい。例えばパターンＩ（３１０）は、全てのタイプのセントラルフォーカシングストリームに適していてよく、パターンＩＩ（３２０）はファッションショウなどのＴＶプログラムにマッチする垂直パーティションに最も適していてよい。スポーツプログラムでは、パターンＩＩＩ（３３０）のような水平パーティションがよりよい選択であり得る。符号化されたピクチャまたはフレームから、分離されたスライスを割り当てる方法は、本開示の範囲外であり、いかなる利用可能なパターンも候補であり得る。さらに、スライス割当パターンならびにスライス自体のサイズは、画像コンテンツに基づいて変化してよい。例えば、画像プロセッサは、画像を解析しユーザにとって関心のあるエリアを判定するために使用されるアルゴリズムを備えてよい。例えば、ビデオ送信において、最も急速に変化しているエリアは、視聴者にとって関心のあるエリアを示すことがある。したがって、スライスは、第１のスライスは最も高い関心または動きのあるエリアを備え、第２のスライスは次に高い関心のあるエリアを備えて作成され、以下同様に作成される。
【００１８】
したがって、本発明の一例示的実施形態によれば、提案された領域ベースの変調機構は、前述のスライス割当および変調モード選択を結合する。スライスの優先順位はＡ＞Ｂ＞Ｃのように順番に定義され、スライスは変調／符号化モードに別々に対応している。可能なデプロイメントシナリオは、ＱＰＳＫ、１６ＱＡＭ、６４ＱＡＭなどを含むがそれらに限定されない。
【００１９】
図４を参照すると、本発明の原理によるＷｉＭＡＸ  ＯＦＤＭ物理フレームにおける例示的ダウンリンクサブフレーム（４００）が示されている。物理ＯＦＤＭフレーム割当は、ＭＢＳゾーンの中のＭＢＳデータブロックにおいて実行することができる。ブロックサイズおよび変調符号化モードの情報は、間隔要素にカプセル化される（ＭＢＳ−ＭＡＰ）。ＭＢＳ＿Ｐｒｏｇｒａｍ１のための分離されたスライス（Ａ１、Ｂ１、Ｃ１）がブロードキャスト／マルチキャストセッションにおける図に示されている。同じ処理がそれぞれＭＢＳ＿Ｐｒｏｇｒａｍ２およびＭＢＳ＿Ｐｒｏｇｒａｍ３における追加の分離されたスライス（Ａ２、Ｂ２、Ｃ２およびＡ３、Ｂ３、Ｃ３）のために利用される。この例示的実施形態によれば、各ＭＢＳプログラムは同じ割当方式を使用する。しかし、これは必須ではなく、ＢＳはビデオトラフィックのパラメータおよびフリー帯域幅の利用可能性に基づいて別の割当方式を選択することができる。
【００２０】
受信機の態様から、中央領域（スライスＡ）は、受信しているデバイスがセルのマージンエリアにある場合に表示することができるだけであり、その他の領域（スライスＢおよびＣ）は効果的にデコードすることができない。この状況では、その他のスライス（スライスＢおよびＣ）は送信エラーまたはパケットロスのために廃棄される。残余の領域は黒い背景として表示することができ、またはスライスＡは表示領域のより大きな部分をカバーするために引き伸ばすことができる。中間距離以内のＭＳでは、スライスＡ＋スライスＢを有するより大きなフレームを構成することができる。ＢＳに最も近いＭＳでは、ピクチャのフルビューをより良いチャネル状態および全ての変調方式を使用してスライスを受信するＭＳの能力の結果として受信することができる。図４によって表されているように、例としてのデプロイメントおよびビジュアル効果の例示的実施形態によれば、各スライスの中では、符号化および送信は独立しており、したがって、イントラブロックリフレッシング、スケーラブルビデオコーディング、およびエラーコンシールメントのようなエラーレジスタンスのためのデコーダベースの技術をデプロイすることができ、さらに、ＦＥＣ（ｆｏｒｗａｒｄ  ｅｒｒｏｒ  ｃｏｒｒｅｃｔｉｏｎ）およびＡＲＱ（Ａｕｔｏｍａｔｉｃ  Ｒｅｐｅａｔ  ｒｅＱｕｅｓｔ）のようなエラーレジスタンスのための送信層におけるいくつかの機構をＱｏＳ拡張のために導入することもできる。
【００２１】
次に図５を参照すると、本発明の原理による受信プロセスを表す例示的流れ図（５００）が示されている。最初に、装置はデータを受信するのを待つ（５１０）。データが受信された後は（５２０）、装置は第１の変調方式、例えば実装されている最もロバストな変調方式によってデータ１をデコードする（５３）。次いで、装置はデータ２を受信し（５４０）、次いで、実装されているより低いロバストな変調方式などの第２の変調方式によってデータ２をデコードする（５５０）。受信機はデータ１およびデータ２を同じ物理フレームで受信し、それに続いて別々のデータファイルに分離することができ、各データファイルはそれぞれ異なる画像スライスを表すことに留意されたい。次いで、装置はデータ２の信号品質を測定し（５６）、この測定された信号品質を閾値と比較する（５７０）。閾値は、データスライスを表示するために必要とされる最低信号品質を表す。データ２の信号品質が閾値を超える場合は、装置はデータ１およびデータ２を結合し（５８５）、その結果、データは、データ１およびデータ２によって表される画像スライスを備える画像を表す。データ２の信号品質が閾値を超えない場合は、装置はデータ１のみによって表される画像スライスを備える画像を表すデータを生成する（５８０）。次いで、画像を表すデータは表示デバイスに送信され（５９０）、装置は開始に戻って次のデータを受信するのを待つ（５１０）。
【００２２】
次に図６を参照すると、本発明の一例示的実施形態による送信のためにデータを変調し準備するように動作可能な装置（６００）のブロック図が示されている。装置（６００）は、データプロセッサ（６１０）、変調器（６３０）、メモリ（６２０）、ならびにコンテンツソースへの、および変調されたデータの無線送信に適した送信機への接続を含む。変調器（６３０）は、ソフトウェアもしくはハードウェアのどちらか、またはそれらの組合せで実装することができる。メモリ（６２０）は、データ、および本発明による諸例示的実施形態において前に説明したプログラムを含むオペレーティングプログラムを記憶するように動作可能である。
【００２３】
次に図７を参照すると、本発明の一例示的実施形態による表示デバイス上に表示するためにデータを復調し準備するように動作可能な装置（７００）のブロック図が示されている。装置（７００）は、復調器（７１０）、データプロセッサ（７２０）、メモリ（７３０）、および変調されたデータの無線送信を受信するのに適した受信機への接続を備える。復調器（７１０）は、ハードウェアもしくはソフトウェアのどちらか、またはそれらの組合せで実装することができる。メモリ（７３０）は、データ、および本発明による諸例示的実施形態において前に説明したプログラムを含むオペレーティングプログラムを記憶するように動作可能である。
【００２４】
当技術の現状に対する本発明の利益は、ＢＳがフレーム内のスライスの数および各スライスのサイズを自由に決めることを含む。さらに、ピクチャのための全てのスライスを同じ物理フレームにカプセル化することができ、それによって受信機におけるデコードされたスライスの再構成中の同期外れ問題をなくす。モバイルＷｉＭＡＸのための他の利益は、端末のモビリティをサポートする能力である。ＢＳのカバレッジの中で移動している端末では、端末は少なくとも中央のスライスに表示されたコンテンツを受信することができなければならず、したがって、少なくともいくつかのコンテンツを表示することができなければならない。ハンドオーバの状況では、マクロダイバーシチの機構およびＩＥＥＥ８０２．１６ｅ規格で定義されているページンググループをデプロイすることができる。さらに、スライス割当パターンをプログラムのライフサイクル中不変にしておくことができるので、各フレーム（ＷｉＭＡＸネットワーク内の最小フレームスロットは５ｍｓである）の中の重複した情報を送信する必要をなくすことにより帯域幅の使用をさらに最少にすることができ、割当パターンのそのような通知は、第１のいくつかのフレームで、または送信中定期的に行うことができる。
【００２５】
前述のように、および本発明の原理によって、受信機はコンステレーションスペースにおける受信した信号ポイントの分散の機能としてイコライザロックを決定し、それぞれ異なるウェイトがそれぞれ異なるコンステレーションスペースの領域に与えられる。本発明の概念は、内側の領域の範囲に入る受信した信号ポイントにゼロのウェイト値（すなわちウェイトなし）を与え、外側の領域の範囲に入る受信した信号ポイントに１のウェイト値を与えるという点から説明されたが、本発明の概念はそのように限定されないことに留意されたい。同様に、本発明の概念は外側の領域および内側の領域のコンテキストで説明されたが、本発明の概念はそのように限定されない。
【００２６】
上記を考慮すると、前述したことは単に本発明の原理を例示するものであり、したがって当業者は、本明細書には明示的に記載されていないが、本発明の原理を実施し本発明の趣旨および範囲の中にある多数の代替的構成を考え出すことができることが理解されるであろう。例えば、別個の機能要素のコンテキストで例示されているが、これらの機能要素は１つまたは複数の集積回路（ＩＣ）上で実施されてよい。同様に、別個の要素として示されているが、要素のいずれかまたは全ては、例えば図５および／または６などに示すステップの１つまたは複数に例えば対応する関連ソフトウェアを実行するストアドプログラムコントロールドプロセッサ、例えばデジタル信号プロセッサなどに実装されてよい。さらに、ＴＶセット１０の中にバンドルされた要素として示されているが、ＴＶセット１０の中の要素はいかなる組合せででも様々なユニットに分散されてよい。例えば、図３の受信機１５は、ディスプレイ２０などを組み込んだデバイスまたはボックスから物理的に離れているデバイス、またはセットトップボックスなどのボックスの一部分などでよい。さらに、地上放送のコンテキストで説明したが、本発明の原理は他のタイプの通信システム、例えば衛星、ケーブルなどに適用可能であることに留意されたい。したがって、例示的実施形態に対して多数の変更が行われてよく、添付の特許請求の範囲によって定義された本発明の趣旨および範囲から逸脱することなく他の構成が考案されてよいことを理解されたい。
本発明は以下の態様を含む。
（付記１）
画像を処理する方法であって、
前記画像を第１の領域および第２の領域に分割するステップと、
第１の変調方式を使用して前記画像の前記第１の領域を処理して第１のデータを生成するステップと、
第２の変調方式において前記画像の前記第２の領域を処理して第２のデータを生成するステップと
を備え、
前記第１の変調方式は前記第２の変調方式よりロバストであることを特徴とする方法。
（付記２）
前記第１のデータおよび前記第２のデータを無線送信に適した第１のパケットに結合するステップをさらに備えることを特徴とする付記１に記載の方法。
（付記３）
前記第１のパケットはＷｉＭＡＸ規格に準拠して送信されることを特徴とする付記２に記載の方法。
（付記４）
前記画像は複数のシーケンシャル画像を備えるビデオストリームの一部分であることを特徴とする付記１に記載の方法。
（付記５）
前記第１のデータおよび前記第２のデータは無線送信に適した単一のフレームに結合されることを特徴とする付記１に記載の方法。
（付記６）
前記第１のデータは第１の周波数で送信され、前記第２のデータは第２の周波数で送信されることを特徴とする付記１に記載の方法。
（付記７）
前記第１のデータは第１のデータレートによって変調され、
前記第２のデータは第２のデータレートによって変調されることを特徴とする付記１に記載の方法。
（付記８）
画像を受信する方法であって、
前記画像の第１の領域を表す第１のデータであって、第１の変調方式を備える、第１のデータを受信するステップと、
前記画像の第２の領域を表す第２のデータであって、第２の変調方式を備える、第２のデータを受信するステップと、
前記第２のデータの品質インジケータが閾値より低いことに応答して前記第２のデータを廃棄し、品質インジケータが前記閾値より高いことに応答して前記第１のデータおよび前記第２のデータを結合するステップと
を備えることを特徴とする方法。
（付記９）
前記第１のデータを復調して、前記画像の前記第１の領域を表す第１の復調信号であって、表示デバイスに結合するのに適した、第１の復調信号を生成するステップをさらに備えることを特徴とする付記８に記載の方法。
（付記１０）
前記結合するステップは、
前記第１のデータを復調して、前記画像の前記第１の領域を表す第１の復調信号を生成するステップと、
前記第２のデータを復調して、前記画像の前記第２の領域を表す第２の復調信号を生成するステップと、
表示デバイスに結合するのに適した結合された復調信号であって、前記画像の前記第１の領域および前記画像の前記第２の領域を備える、結合された復調信号を生成するステップと
をさらに備えることを特徴とする付記８に記載の方法。
（付記１１）
前記画像は複数のシーケンシャル画像を備えるビデオストリームの一部分であることを特徴とする付記８に記載の方法。
（付記１２）
前記第１のデータおよび前記第２のデータは無線送信を介して単一のフレームで受信されることを特徴とする付記８に記載の方法。
（付記１３）
前記第１のデータは第１の周波数で送信され、前記第２のデータは第２の周波数で送信されることを特徴とする付記８に記載の方法。
（付記１４）
前記第１のデータは第１のデータレートによって変調され、前記第２のデータは第２のデータレートによって変調されることを特徴とする付記８に記載の方法。
（付記１５）
第１のデータレートで第１のデータを受信し、第２のデータレートで第２のデータを受信するための第１の端末であって、前記第１のデータは画像の第１の領域を表し、前記第２のデータは前記画像の第２の領域を表す、第１の端末と、
品質インジケータが閾値より低いことに応答して前記第２のデータを廃棄するためのプロセッサであって、前記品質インジケータが前記閾値より高いことに応答して前記第１のデータおよび前記第２のデータを結合するようにさらに動作可能な、プロセッサと
を備えることを特徴とする装置。
（付記１６）
前記画像および前記画像の前記第１の領域の少なくとも１つを表示するためのビデオディスプレイ
をさらに備えることを特徴とする付記１５に記載の装置。
（付記１７）
前記ビデオディスプレイは前記画像の前記第１の領域を表す前記データを処理するように動作可能であり、前記画像の前記第１の領域を表示面全体に表示することができることを特徴とする付記１６に記載の装置。
（付記１８）
前記ビデオディスプレイは前記画像の前記第１の領域を表す前記データを処理するように動作可能であり、前記画像の前記第１の領域が表示され、前記画像の前記第２の領域を表すエリアがソリッドフィールドとして表示されることを特徴とする付記１６に記載の装置。
（付記１９）
前記画像は複数のシーケンシャル画像を備えるビデオストリームの一部分であることを特徴とする付記１５に記載の装置。
（付記２０）
前記第１のデータおよび前記第２のデータは無線送信を介して単一のフレームで受信されることを特徴とする付記１５に記載の装置。
【図１】
0005752941.tif 000002
【図５】
0005752941.tif 000003
【図６】
0005752941.tif 000004
【図７】
0005752941.tif 000005
【図２】
0005752941.tif 000006
【図３】
0005752941.tif 000007
【図４】
0005752941.tif 000008